(57)【要約】【課題】簡潔な構造でレーダ本体を車両に組み付けることができ、加えてレーダ性能の安定化に資することも可能な車載用レーダ設置構造、およびバンパの外装部品であるバンパフェイシアを車両本体に取り付けるフェイシアリテーナ。【解決手段】扁平な立体であって、一つの面に設けられて電波の送受信を行う送受信面１３０を有するレーダ本体１２２と、車両後部のリアバンパ１０４の外装部品であるバンパフェイシア１０８を車両本体に取り付けるフェイシアリテーナ１２０と、を備え、フェイシアリテーナ１２０は、車両本体に固定される固定部１５０と、固定部１５０の近傍に設けられ、レーダ本体１２２の送受信面１３０が車両外側へ向くようにレーダ本体１２２がはめ込まれる窪んだ形状を有するレーダ設置部１２８と、を有することを特徴とする。【選択図】図２
2015072289.tif 000002
【特許請求の範囲】
【請求項１】
扁平な立体であって、一つの面に設けられて電波の送受信を行う送受信面を有するレーダ本体と、
車両前部または車両後部のバンパの外装部品であるバンパフェイシアを車両本体に取り付けるフェイシアリテーナと、
を備え、
前記フェイシアリテーナは、
前記車両本体に固定される固定部と、
前記レーダ本体の前記送受信面が車両外側へ向くように該レーダ本体がはめ込まれる窪んだ形状を有するレーダ設置部と、
を有することを特徴とする車載用レーダ設置構造。
【請求項２】
前記バンパフェイシアは、前記車両本体の前面または後面に沿って車幅方向に延びる正面部分と、該正面部分の両端から該車両本体の側面に沿って延びる側面部分とを含み、
前記フェイシアリテーナは、前記バンパフェイシアの前記側面部分の上縁に沿って車両前後方向に延びた長尺な形状を有することを特徴とする請求項１に記載の車載用レーダ設置構造。
【請求項３】
前記レーダ設置部は、前記固定部の近傍に設けられることを特徴とする請求項１または２に記載の車載用レーダ設置構造。
【請求項４】
前記レーダ設置部は、前記レーダ本体の側面または前記送受信面の縁に接触して該レーダ本体が動かないようこれを支える１つ以上の支持体を含むことを特徴とする請求項１から３のいずれか１項に記載の車載用レーダ設置構造。
【請求項５】
前記支持体は、前記レーダ本体の側面または前記送受信面の縁を押さえるツメを含むことを特徴とする請求項４に記載の車載用レーダ設置構造。
【請求項６】
前記支持体は、前記レーダ本体の両脇に架け渡されて前記送受信面の縁を押さえるブリッジ部を含むことを特徴とする請求項４または５に記載の車載用レーダ設置構造。
【請求項７】
前記レーダ設置部は、
前記レーダ本体が前記送受信面の平行方向に挿入される挿入口と、
前記レーダ本体の前記送受信面の反対側の面である裏面に接する底面の所定位置に設けられ、該レーダ本体を前記挿入口の挿入方向の奥に案内するスロープを有することを特徴とする請求項１から６のいずれか１項に記載の車載用レーダ設置構造。
【請求項８】
当該車載用レーダ設置構造はさらに、前記レーダ本体を収容するケースを備え、
前記レーダ本体は、前記ケースを介して前記レーダ設置部にはめ込まれることを特徴とする請求項１から３のいずれか１項に記載の車載用レーダ設置構造。
【請求項９】
前記ケースは、前記レーダ本体の側面または前記送受信面の縁に接触して該レーダ本体が動かないようこれを支える１つ以上の支持体を有することを特徴とする請求項８に記載の車載用レーダ設置構造。
【請求項１０】
前記支持体は、前記レーダ本体の側面または前記送受信面の縁を押さえるツメを含むことを特徴とする請求項９に記載の車載用レーダ設置構造。
【請求項１１】
前記支持体は、前記レーダ本体の両脇に架け渡されて前記送受信面の縁を押さえるブリッジ部を含むことを特徴とする請求項９または１０に記載の車載用レーダ設置構造。
【請求項１２】
前記ケースは、
前記レーダ本体が前記送受信面の平行方向に挿入される挿入口と、
前記レーダ本体の前記送受信面の反対側の面である裏面に接する底面の所定位置に設けられ、該レーダ本体を前記挿入口の挿入方向の奥に案内するスロープを有することを特徴とする請求項８から１１のいずれか１項に記載の車載用レーダ設置構造。
【請求項１３】
車両前部または車両後部のバンパの外装部品であるバンパフェイシアを車両本体に取り付けるフェイシアリテーナであって、
前記車両本体に固定される固定部と、
扁平な立体のレーダ本体の送受信面が車両外側へ向くように該レーダ本体がはめ込まれる窪んだ形状を有するレーダ設置部と、
を備えることを特徴とするフェイシアリテーナ。
【請求項１４】
当該フェイシアリテーナは、前記バンパフェイシアの前記車両本体の側面に沿って延びる側面部分の上縁に沿って車両前後方向に延びた長尺な形状を有することを特徴とする請求項１３に記載のフェイシアリテーナ。
【請求項１５】
前記レーダ設置部は、前記固定部の近傍に設けられることを特徴とする請求項１３または１４に記載のフェイシアリテーナ。
【発明の詳細な説明】
【技術分野】
【０００１】
本発明は、車両のバンパ付近にレーダ本体を設置する車載用レーダ設置構造、およびバンパの外装部品であるバンパフェイシアを車両本体に取り付けるフェイシアリテーナに関するものである。
【背景技術】
【０００２】
近年、車載用レーダを備えた乗用自動車が広く普及している。車載用レーダは、他の車両や障害物等との距離およびその方向を計測し、車線変更や衝突回避ブレーキを補助する役割を担っている。その他にも、車載用レーダはドライバへ所定の警告等を行ったり、シートベルトやエアバックなどの各種車載用機器を制御したりすることにも利用される。このような車載用レーダは、車両の前部や後部における外装部品の内側などの外部から視認できない場所にて、レーダブラケット等を使用して設置されている（例えば特許文献１）。
【先行技術文献】
【特許文献】
【０００３】
【特許文献１】特開２０１０−６６０９２号公報
【発明の概要】
【発明が解決しようとする課題】
【０００４】
車両開発や改良が日々進められている現在では、上記の車載用レーダもより簡潔な構造かつ少ない工数で設置可能であることが求められている。加えて、レーダ性能が安定して発揮できることも望まれている。しかしながら、車載用レーダの設置には、上述したように別部品のレーダブラケットを使用しているのが現状であり、相応の組付工数が必要となっている。また、車載用レーダは車両の外装部品等で囲まれた箇所に設置されていて、レーダ性能の安定化のための対策を講じることは簡単ではなかった。【０００５】
本発明は、このような課題に鑑み、簡潔な構造でレーダ本体を車両に組み付けることができ、加えてレーダ性能の安定化に資することも可能な車載用レーダ設置構造およびフェイシアリテーナを提供することを目的としている。
【課題を解決するための手段】
【０００６】
上記課題を解決するために、本発明にかかる車載用レーダ設置構造の代表的な構成は、扁平な立体であって、一つの面に設けられて電波の送受信を行う送受信面を有するレーダ本体と、車両前部または車両後部のバンパの外装部品であるバンパフェイシアを車両本体に取り付けるフェイシアリテーナと、を備え、フェイシアリテーナは、車両本体に固定される固定部と、レーダ本体の送受信面が車両外側へ向くようにレーダ本体がはめ込まれる窪んだ形状を有するレーダ設置部と、を有することを特徴とする。【０００７】
上記構成では、別部品のレーダブラケットを用いてレーダ本体を車両に組み付ける構造とは異なり、フェイシアリテーナにレーダ本体のレーダ設置部が一体化して設けられている。したがって、従来に比べて構造が簡潔であり、組付工数の削減も図ることが可能になっている。また、フェイシアリテーナは自らが直接的に車両本体に固定されていて振動が生じ難いため、このフェイシアリテーナにレーダ設置部を設けることで振動によるレーダ性能への影響を抑えることができる。したがって、上記構成では、レーダ本体のレーダ性能を安定させることも可能となっている。【０００８】
上記のバンパフェイシアは、車両本体の前面または後面に沿って車幅方向に延びる正面部分と、正面部分の両端から車両本体の側面に沿って延びる側面部分とを含み、フェイシアリテーナは、バンパフェイシアの側面部分の上縁に沿って車両前後方向に延びた長尺な形状を有してもよい。この構成によって、バンパフェイシアはその上縁付近がフェイシアリテーナによって車両に固定されることとなり、バンパフェイシアの振動をより好適に抑えることが可能になる。そして、バンパフェイシアの振動を抑えることで、レーダ本体とバンパフェイシアとの相対的な揺れが起こり難くなり、レーダ本体のレーダ性能をより安定させることが可能になる。【０００９】
上記のレーダ設置部は、固定部の近傍に設けられるとよい。車両本体への固定点である固定部は部材の振動が特に生じ難い箇所であり、この近傍にレーダ設置部を設けることで振動によるレーダ性能への影響を抑えることができる。したがって、上記構成であると、レーダ本体のレーダ性能をさらに安定させることが可能になる。【００１０】
上記のレーダ設置部は、レーダ本体の側面または送受信面の縁に接触してレーダ本体が動かないようこれを支える１つ以上の支持体を含んでもよい。このように、レーダ設置部は、レーダ本体が動かないよう支持体で支える構成となっている。この構成であると、支持体が接する箇所以外においては、レーダ本体の送受信面の大部分を開放した状態でレーダ本体の設置を行うことができる。したがって、電波に干渉しうる部位が減るため、レーダ本体はそのレーダ性能を十分に発揮することが可能になる。【００１１】
上記の支持体は、レーダ本体の側面または送受信面の縁を押さえるツメを含んでもよい。また、支持体は、レーダ本体の両脇に架け渡されて送受信面の縁を押さえるブリッジ部を含んでもよい。これらツメおよびブリッジによれば、レーダ本体からの電波への干渉を抑えた支持体を実現することが可能となる。【００１２】
上記のレーダ設置部は、レーダ本体が送受信面の平行方向に挿入される挿入口と、レーダ本体の送受信面の反対側の面である裏面に接する底面の所定位置に設けられ、レーダ本体を挿入口の挿入方向の奥に案内するスロープを有してもよい。これら挿入口およびスロープを設けることで、レーダ設置部にレーダ本体が設置しやすくなる。【００１３】
当該車載用レーダ設置構造はさらに、レーダ本体を収容するケースを備え、レーダ本体は、ケースを介してレーダ設置部にはめ込まれてもよい。所定のケースを介することでも、レーダ本体はレーダ設置部に有効に組み付けることが可能である。なお、ケースのレーダ設置部への組付けは、ネジ止めや所定のフック等を用いて行ってもよい。【００１４】
上記のケースは、レーダ本体の側面または送受信面の縁に接触してレーダ本体が動かないようこれを支える１つ以上の支持体を有してもよい。この支持体によって、ケースは、レーダ本体が動かないよう支えることができる。この構成であれば、支持体が接する箇所以外においては、レーダ本体の送受信面の大部分をケースから開放した状態でレーダ本体の設置を行うことができる。したがって、電波に干渉しうる部位が減るため、レーダ本体はそのレーダ性能を十分に発揮することが可能になる。【００１５】
上記の支持体は、レーダ本体の側面または送受信面の縁を押さえるツメを含んでもよい。また、支持体は、レーダ本体の両脇に架け渡されて送受信面の縁を押さえるブリッジ部を含んでもよい。これらツメおよびブリッジによれば、レーダ本体からの電波への干渉を抑えた支持体を実現することが可能となる。【００１６】
上記のケースは、レーダ本体が送受信面の平行方向に挿入される挿入口と、レーダ本体の送受信面の反対側の面である裏面に接する底面の所定位置に設けられ、レーダ本体を挿入口の挿入方向の奥に案内するスロープを有してもよい。これら挿入口およびスロープを設けることで、レーダ設置部にレーダ本体が設置しやすくなる。【００１７】
上記課題を解決するために、本発明にかかるフェイシアリテーナの代表的な構成は、車両前部または車両後部のバンパの外装部品であるバンパフェイシアを車両本体に取り付けるフェイシアリテーナであって、車両本体に固定される固定部と、扁平な立体のレーダ本体の送受信面が車両外側へ向くように該レーダ本体がはめ込まれる窪んだ形状を有するレーダ設置部と、を備えることを特徴とする。【００１８】
上記のフェイシアリテーナでは、レーダ本体のレーダ設置部が一体化して備えられている。したがって、このフェイシアリテーナを利用することで、別部品のレーダブラケットを用いる必要が無くなる。したがって、従来に比べて車両の構造を簡潔にし、組付工数の削減も図ることが可能になっている。また、フェイシアリテーナは自らが直接的に車両本体に固定されていて振動が生じ難いため、このフェイシアリテーナにレーダ本体を設置することで振動によるレーダ性能への影響を抑えることができる。したがって、上記フェイシアリテーナであれば、レーダ本体のレーダ性能を安定させることも可能となっている。【００１９】
当該フェイシアリテーナは、バンパフェイシアの車両本体の側面に沿って延びる側面部分の上縁に沿って車両前後方向に延びた長尺な形状を有してもよい。また、レーダ設置部は、固定部の近傍に設けられてもよい。これら構成によって、レーダ本体のレーダ性能の安定化に資するフェイシアリテーナが好適に実現可能である。
【発明の効果】
【００２０】
本発明によれば、簡潔な構造でレーダ本体を車両に組み付けることができ、加えてレーダ性能の安定化に資することも可能な車載用レーダ設置構造およびフェイシアリテーナを提供することができる。
【図面の簡単な説明】
【００２１】
【図１】本発明の実施形態における車載用レーダ設置構造を適用した車両を例示した図である。
【図２】図１の車載用レーダを単独で例示した図である。
【図３】図２（ｂ）のフェイシアリテーナにおけるレーダ本体付近の拡大図である。
【図４】図３（ａ）のＡ−Ａ断面図である。
【図５】本実施形態の車載用レーダ設置構造と比較例それぞれのレーダ本体が車両走行中に受ける振動を測定した図である。
【図６】図３に例示した車載用レーダの変形例を例示した図である。
【図７】図６（ｂ）のＢ−Ｂ断面図である。
【符号の説明】
【００２２】
１０…比較例、１２…比較例のレーダ本体、１４…比較例のレーダブラケット、１００…車載用レーダ設置構造、１０２…車載用レーダ、１０４…リアバンパ、１０６…フロントバンパ、１０８…バンパフェイシア、１１０…車両本体、１１２…正面部分、１１４…側面部分、１１６…フロントバンパ、１１８…バンパフェイシア、１２０…フェイシアリテーナ、１２２…レーダ本体、１２４…上縁、１２６…サイドパネル、１２８…レーダ設置部、１３０…送受信面、１３１…レーダ本体の裏面、１３２…コネクタ、１３４…ツメ、１３６…ブリッジ部、１３８…底面、１４０…挿入口、１４２…突起部、１４４、１４５…スロープ、１４６…切欠部、１４８…配線コード、１５０…固定部、２００  …変形例の車載用レーダ、２０２  …ケース、２０４  …レーダ設置部、２０６  …フック、２０８  …ネジ、２１０  …ネジ孔、２１２  …底面、２１４  …挿入口、２１６、２１８  …スロープ、２２０  …ツメ、２２２  …ブリッジ部、２２４  …切欠部、２２６  …突起部
【発明を実施するための形態】
【００２３】
以下に添付図面を参照しながら、本発明の好適な実施形態について詳細に説明する。かかる実施形態に示す寸法、材料、その他具体的な数値などは、発明の理解を容易とするための例示に過ぎず、特に断る場合を除き、本発明を限定するものではない。なお、本明細書及び図面において、実質的に同一の機能、構成を有する要素については、同一の符号を付することにより重複説明を省略し、また本発明に直接関係のない要素は図示を省略する。
【００２４】
図１は、本発明の実施形態における車載用レーダ設置構造１００を適用した車両を例示した図である。図１に例示する車載用レーダ１０２は、電波の送受信によって、他の車両や障害物等との距離および位置を測定する。車載用レーダ１０２は、車両後部のリアバンパ１０４の内側付近や、車両前部のフロントバンパ１０６の内側付近などに、複数設置される。例えば、図１の車両では、リアバンパ１０４側には、車幅方向の両端に計２つ設置されている。以下では、このリアバンパ１０４の車両左側に設置された車載用レーダ１０２を例に挙げて、説明を行う。
【００２５】
図２は、図１の車載用レーダ１０２を単独で例示した図である。図２（ａ）は、図１のリアバンパ１０４を車両左側から見て例示した図である。リアバンパ１０４は、外装部品であるバンパフェイシア１０８を含んでいる。バンパフェイシア１０８は、図１に例示したように、車両本体１１０の後面に沿って車幅方向に延びた正面部分１１２と、この正面部分１１２の両端から車両本体１１０の側面に沿って延びた側面部分１１４とを有している。なお、このバンパフェイシア１０８と同様に、車両前側のフロントバンパ１０６のバンパフェイシア１１８も、車両本体の前面に沿った正面部分と、車両本体の側面に沿った側面部分から構成されている。
【００２６】
図２（ａ）に例示するように、本実施形態における車載用レーダ設置構造１００によって、車載用レーダ１０２はバンパフェイシア１０８の側面部分１１４の内側における車両本体１１０上に組み付けられている。図２（ｂ）は、図２（ａ）のバンパフェイシア１０８を車両本体１１０から取り外した図である。図２（ｂ）に例示するフェイシアリテーナ１２０は、バンパフェイシア１０８を支える部品である。そして、当該車載用レーダ設置構造１００ではレーダ本体１２２を、従来構成では専用のレーダブラケットを使用して車両本体に設置していたところ、フェイシアリテーナ１２０にはめ込んで設置する構成となっている。すなわち、本実施形態では、フェイシアリテーナ１２０にレーダブラケットとしての機能を追加することで、部品点数および設置工数の削減を図っている。
【００２７】
フェイシアリテーナ１２０は、バンパフェイシア１０８の側面部分１１４の上縁１２４に沿って車両前後方向に延びた長尺な形状を有していて、車両本体１１０の側面を構成するサイドパネル１２６に組み付けられている。図２（ａ）のバンパフェイシア１０８は、その上縁１２４の内側がツメ構造やクリップなどによってフェイシアリテーナ１２０に接続され、このフェイシアリテーナ１２０を介して車両本体１１０に組み付けられる。
【００２８】
フェイシアリテーナ１２０は、バンパフェイシア１０８（図２（ａ）参照）の特に上縁１２４付近を車両本体１１０に固定する。バンパフェイシア１０８の振動は、フェイシアリテーナ１２０の近傍でより好適に抑えられる。したがって、フェイシアリテーナ１２０の近傍であれば、レーダ本体１２２とバンパフェイシア１０８との相対的な揺れを生じ難くさせて、レーダ本体１２２のレーダ性能をより安定させることができる。
【００２９】
図３は、図２（ｂ）のフェイシアリテーナ１２０におけるレーダ本体１２２付近の拡大図である。図３（ａ）に例示するように、フェイシアリテーナ１２０にはレーダ設置部１２８が設けられていて、レーダ本体１２２がこのレーダ設置部１２８にはめ込まれる構造になっている。その場合、レーダ本体１２２は、電波の送受信を行う送受信面１３０を車幅方向の外側に向けて設置される。
【００３０】
図３（ｂ）は、図３（ａ）の分解図である。上述したレーダ本体１２２は扁平な立体で構成され、好ましくは図３（ｂ）に例示するようにレーダ本体１２２は扁平な直方体である。この扁平な立体のレーダ本体１２２には少なくとも１つの平面に送受信面１３０が設けられる。送受信面１３０は、扁平な直方体においては最も大きい面積を有する二面の一方の面となっている。また、レーダ本体１２２はコネクタ１３２を有していて、このコネクタ１３２で車両本体１１０側（図１参照）と電気的に接続し、目標物に向かって電波の送受信を行う。
【００３１】
レーダ設置部１２８は、レーダ本体１２２がはめ込めるよう、レーダ本体１２２に合わせて窪んだ形状となっている。レーダ設置部１２８には、はめ込まれたレーダ本体１２２が動かないようこれを支える、複数の支持体が設けられている。この支持体は、ツメ１３４およびブリッジ部１３６として実現されている。
【００３２】
ツメ１３４は、レーダ本体１２２の両脇に、計２つ設けられている。ツメ１３４は、レーダ本体１２２の送受信面１３０の中心側へ向かって張り出していて、送受信面１３０の縁に接触してこれを支える。ブリッジ部１３６は、送受信面１３０のコネクタ１３２側の縁付近においてレーダ本体１２２の両脇に架け渡され、この送受信面１３０のコネクタ１３２側の縁を押さえる。
【００３３】
上述したツメ１３４およびブリッジ部１３６は、それぞれ送受信面１３０の中央側ではなく縁を支える構成となっていて、送受信面１３０が送受信する電波への干渉が抑えられている。そして、これらツメ１３４およびブリッジ部１３６によって、レーダ設置部１２８は、レーダ本体１２２の送受信面１３０の大部分を開放することでレーダ本体１２２にそのレーダ性能を十分に発揮させつつ、レーダ本体１２２が脱落しないよう十全に支えることができる。なお、支持体としては、他にもレーダ本体１２２の側面を支えるリブ等としても実現が可能である。
【００３４】
図４は、図３（ａ）のＡ−Ａ断面図である。図４に例示するように、ブリッジ部１３６とレーダ設置部１２８の底面１３８との間には、挿入口１４０が形成されている。レーダ本体１２２は、この挿入口１４０から送受信面１３０の平行方向に挿入される。開口部１４０のサイズ、詳しくはブリッジ部１３６からその直下の底面１３８までの距離は、これらの間にてレーダ本体１２２が把持できるよう、レーダ本体１２２の厚みよりもわずかに狭くなっている。そして、挿入されたレーダ本体１２２が脱落しないよう、ブリッジ部１３６の底面１３８側には挿入が完了したレーダ本体１２２に嵌合する突起部１４２が設けられている。
【００３５】
上記のサイズに設定された開口部１４０と、レーダ本体１２２側へ突出した突起部１４２とを有するレーダ設置部１２８であるが、レーダ本体１２２は問題なく挿入可能となっている。そのために、底面１３８には、２つのスロープ１４４、１４５が設けられている。これらスロープ１４４、１４５はレーダ本体１２２を挿入口１４０の奥へ案内するためのものであって、スロープ１４４は底面１３８の入口側の端に設けられていて、スロープ１４５はブリッジ部１３６の下方において底面１３８の高さが底上げされている箇所に設けられている。
【００３６】
まず、レーダ本体１２２を挿入口１４０から挿入する際、底面１３８にはレーダ本体部１２２の送受信面１３０の裏側である裏面１３１が接触し、この裏面１３１が底面１３８上をスライドする。そのスライドの際、レーダ本体１２２はブリッジ部１３６の下方付近に設けられたスロープ１４５に乗り上げることで、突起部１４２を避けるよう斜めの姿勢になる。また、その斜めの姿勢が好適にとれるよう、底面１３８の入り口側の端にはスロープ１４４が設けられていて、斜めになったレーダ本体１２２に干渉しないようになっている。このようにしてレーダ設置部１２８では、スロープ１４４、１４５を設けることで、レーダ本体１２２を円滑に挿入し、そしてブリッジ部１３６と底面部１３８とで把持することが可能になっている。
【００３７】
再び図３（ａ）を参照する。図３（ａ）に例示するように、ブリッジ部１３６には、挿入されたレーダ本体１２２のコネクタ１３２が露出するよう、切欠部１４６が設けられている。この切欠部１４６によると、レーダ本体１２２をレーダ設置部１２８にはめ込んだ後であっても、コネクタ１３２への配線コード１４８類の脱着を好適に行うことが可能である。
【００３８】
本実施形態では、レーダ本体１２２がそのレーダ性能を安定して発揮できるよう、レーダ設置部１２８をフェイシアリテーナ１２０の固定部１５０の近傍に設けている。固定部１５０は、ボルトやクリップ等が使用されてサイドパネル１２６（図２（ｂ））へ固定される部位である。この固定部１５０の付近は、車両走行中において、フェイシアリテーナ１２０のなかでも特にバンパフェイシア１０８の振動の影響を受けにくい箇所である。したがって、この近傍にレーダ設置部１２８を設けることで、振動によるレーダ本体１２２への影響を抑えることができる。
【００３９】
以下では、本実施形態の車載用レーダ設置構造１００の効果を、比較例１０と比較しながら説明する。図５は、本実施形態の車載用レーダ設置構造１００と比較例１０それぞれのレーダ本体が車両走行中に受ける振動を測定した図である。なお、比較例は、図２（ｂ）に仮想線で例示するように、レーダ本体１２を、バンパフェイシア１０８（図２（ａ）参照）の側面部分１１４内側におけるサイドパネル１２６の車両上下前後中央付近にレーダブラケット１４を使用して組み付けた構成である。
【００４０】
図５（ａ）に例示する測定試験では、車両が１２０ｋｍで走行した際においてレーダ本体が受ける振動を測定している。本実施形態および比較例それぞれの各グラフは、まず上段のグラフが、横軸に周波数、縦軸にその周波数における揺れのエネルギーに関する値を表したスペクトル解析の結果である。そして下段のグラフが、横軸に時間、縦軸にその時間における振動の出力値を表したグラフである。これら各グラフの結果をまとめたのが、図５（ｂ）の表である。図５（ｂ）に例示しているように、振幅のピークピーク値（最大値と最小値の差）は、本実施形態が約−０．５ｍｍであり比較例が約−１．５ｍｍと、本実施形態ではピークピーク値が比較例に比べて約１／３に抑えられている。
【００４１】
このように、本実施形態では、別部品のレーダブラケットを用いてレーダ本体を車両に組み付けている比較例とは異なり、フェイシアリテーナの固定部付近にレーダ本体のレーダ設置部を一体化させたことによって、振動によるレーダ性能への影響を抑えることが可能になっている。加えて、比較例に比べて構造が簡潔であり、組付工数の削減も図ることができる。したがって、性能面およびコスト面の両方において、非常に有効な構成となっている。
【００４２】
（変形例）
図６は、図３に例示した車載用レーダ１０２の変形例を例示した図である。図６（ａ）は、図３（ｂ）に対応して、変形例である車載用レーダ２００を例示した図である。図６（ａ）に例示する車載用レーダ２００は、レーダ本体１２２を収容するケース２０２を備え、このケース２０２を介してレーダ本体１２２をレーダ設置部２０４に組み付けている点において、図３（ａ）の車載用レーダ１０２と構成が異なっている。なお、以下では、図１〜５を参照して既に説明した構成要素は、同じ符号を付することによってその説明を省略する。
【００４３】
車載用レーダ装置２００もまた、図３（ａ）の車載用レーダ１０２と同様に、電波の送受信によって、他の車両や障害物等との距離および位置を測定する。車載用レーダ２００も、車両後部のリアバンパ１０４（図１参照）の内側付近や、車両前部のフロントバンパ１０６の内側付近などに、複数設置可能である。車載用レーダ２００は、図１の車載用レーダ１０２と同様に、リアバンパ１０４の車両左側に設置されることを想定していて、バンパフェイシア１０８の側面部分１１４の内側における車両本体１１０上に組み付けられている。
【００４４】
レーダ設置部２０４は、フェイシアリテーナ１２０に設けられていて、レーダ本体１２２がケースを介してはめ込まれる構造になっている。図３（ｂ）は、図３（ａ）の車載用レーダを分解した図である。図３（ｂ）に例示するように、レーダ設置部２０４は、図３（ｂ）に例示したレーダ本体１２２が直接はめ込まれるレーダ設置部１２８と異なり、レーダ本体１２２を収容したケース２０２がはめ込まれる。そのため、レーダ設置部２０４は、ケース２０２の外形に合わせて窪んだ形状となっている。レーダ設置部２０４には、ケース２０２を把持するフック２０６や、ネジ２０８を利用してケース２０２を締結するネジ孔２１０等、ケース２０２を組み付けるための部位が適宜設けられている。
【００４５】
ケース２０２は、レーダ本体１２２を直接支え、レーダ設置部２０４にはめ込まれる。ケース２０２は、材質に樹脂等を利用して形成されている。本変形例では、図３（ｂ）の車載用レーダ１０２と異なり、レーダ本体１２２を支える支持体であるツメ２２０およびブリッジ部２２２がケース２０２に備えられている。
【００４６】
ツメ２２０は、レーダ本体１２２の両脇に計２つ設けられ、送受信面１３０の縁に接触してこれを支える。ブリッジ部２２２は、送受信面１３０のコネクタ１３２側の縁付近においてレーダ本体１２２の両脇に架け渡され、この送受信面１３０のコネクタ１３２側の縁を押さえる。これらツメ２２０およびブリッジ部２２２は、それぞれ送受信面１３０の中央側ではなく縁を支える構成となっていて、送受信面１３０が送受信する電波への干渉が抑えられている。ツメ２２０およびブリッジ部２２２によって、ケース２０２およびレーダ設置部２０４は、レーダ本体１２２の送受信面１３０の大部分を開放することでレーダ本体１２２にそのレーダ性能を十分に発揮させつつ、レーダ本体１２２が脱落しないよう十全に支えることができる。なお、支持体としては、他にもレーダ本体１２２の側面を支えるリブ等としても実現が可能である。
【００４７】
ブリッジ部２２２には、挿入されたレーダ本体１２２のコネクタ１３２が露出するよう、切欠部２２４が設けられている。この切欠部２２４によると、レーダ本体１２２をケース２０２に収納した後であっても、コネクタ１３２への配線コード１４８類の脱着を好適に行うことが可能になる。
【００４８】
図７は、図６（ｂ）のＢ−Ｂ断面図である。図７に例示するように、ブリッジ部２２２とケース２０２の底面２１２との間には、挿入口２１４が形成されている。レーダ本体１２２は、この挿入口２１４から送受信面１３０の平行方向に挿入される。挿入口２１４のサイズ、詳しくはブリッジ部２２２からその直下の底面２１２までの距離は、これらの間にてレーダ本体１２２が把持できるよう、レーダ本体１２２の厚みよりもわずかに狭くなっている。そして、挿入されたレーダ本体１２２が脱落しないよう、ブリッジ部２２２の底面２１２側には挿入が完了したレーダ本体１２２に嵌合する突起部２２６が設けられている。
【００４９】
底面２１２には、２つのスロープ２１６、２１８が設けられている。これらスロープ２１６、２１８はレーダ本体１２２を挿入口２１４の奥へ案内するためのものであって、スロープ２１６は底面２１２の入口側の端に設けられていて、スロープ２１８はブリッジ部２２２の下方において底面２１２の高さが底上げされている箇所に設けられている。
【００５０】
レーダ本体１２２を挿入口２１４から挿入する際、底面２１２にはレーダ本体部１２２の送受信面１３０の裏側である裏面１３１が接触し、この裏面１３１が底面２１２上をスライドする。そのスライドの際、レーダ本体１２２はブリッジ部２２２の下方付近に設けられたスロープ２１８に乗り上げることで、突起部２２６を避けるよう斜めの姿勢になる。また、その斜めの姿勢が好適にとれるよう、底面２１２の入り口側の端にはスロープ２１６が設けられていて、斜めになったレーダ本体１２２に干渉しないようになっている。このようにしてケース２０２では、スロープ２１６、２１８を設けることで、レーダ本体１２２を円滑に挿入し、そしてブリッジ部２２２と底面２１２とで把持することが可能になっている。
【００５１】
本変形例においても、レーダ本体１２２がそのレーダ性能を安定して発揮できるよう、レーダ設置部２０４はフェイシアリテーナ１２０の固定部１５０の近傍に設けられている。固定部１５０は、ボルトやクリップ等が使用されてサイドパネル１２６（図２（ｂ））へ固定される部位である。この固定部１５０の付近は、車両走行中において、フェイシアリテーナ１２０のなかでも特にバンパフェイシア１０８の振動の影響を受けにくい箇所である。したがって、この近傍にレーダ設置部１２８を設けることで、振動によるレーダ本体１２２への影響を抑えることができる。
【００５２】
以上、添付図面を参照しながら本発明の好適な実施形態について説明したが、本発明は係る例に限定されないことは言うまでもない。当業者であれば、特許請求の範囲に記載された範疇内において、各種の変更例または修正例に想到し得ることは明らかであり、それらについても当然に本発明の技術的範囲に属するものと了解される。
【産業上の利用可能性】
【００５３】
本発明は、車両のバンパ付近にレーダ本体を設置する車載用レーダ設置構造、およびバンパの外装部品であるバンパフェイシアを車両本体に取り付けるフェイシアリテーナに利用することができる。
【図１】
2015072289.tif 000003
【図２】
2015072289.tif 000004
【図３】
2015072289.tif 000005
【図４】
2015072289.tif 000006
【図５】
2015072289.tif 000007
【図６】
2015072289.tif 000008
【図７】
2015072289.tif 000009
【手続補正書】
【提出日】平成28年7月19日(2016.7.19)
【手続補正１】
【補正対象書類名】特許請求の範囲
【補正対象項目名】全文
【補正方法】変更
【補正の内容】
【特許請求の範囲】
【請求項１】
扁平な立体であって、一つの面に設けられて電波の送受信を行う送受信面を有するレーダ本体と、
車両前部または車両後部のバンパの外装部品であるバンパフェイシアを車両本体に取り付けるフェイシアリテーナと、
を備え、
前記フェイシアリテーナは、
前記車両本体に固定される固定部と、
前記レーダ本体の前記送受信面が車両外側へ向くように該レーダ本体がはめ込まれる窪んだ形状を有するレーダ設置部と、
を有し、
前記レーダ設置部は、前記レーダ本体の側面または前記送受信面の縁に接触して該レーダ本体が動かないようこれを支える１つ以上の支持体を含み、
前記支持体は、前記レーダ本体の両脇に架け渡されて前記送受信面の縁を押さえるブリッジ部を含み、
前記レーダ設置部は、前記ブリッジ部と前記レーダ本体の前記送受信面の反対側の面である裏面に接する底面との間に形成され、前記レーダ本体が前記送受信面の平行方向に挿入される該レーダ本体の厚みよりも狭い挿入口を有することを特徴とする車載用レーダ設置構造。
【請求項２】
前記バンパフェイシアは、前記車両本体の前面または後面に沿って車幅方向に延びる正面部分と、該正面部分の両端から該車両本体の側面に沿って延びる側面部分とを含み、
前記フェイシアリテーナは、前記バンパフェイシアの前記側面部分の上縁に沿って車両前後方向に延びた長尺な形状を有することを特徴とする請求項１に記載の車載用レーダ設置構造。
【請求項３】
前記レーダ設置部は、前記固定部の近傍に設けられることを特徴とする請求項１または２に記載の車載用レーダ設置構造。
【請求項４】
前記支持体は、前記レーダ本体の側面または前記送受信面の縁を押さえるツメを含むことを特徴とする請求項１から３のいずれか１項に記載の車載用レーダ設置構造。
【請求項５】
前記レーダ設置部は、前記底面の所定位置に設けられ、該レーダ本体を前記挿入口の挿入方向の奥に案内するスロープを有することを特徴とする請求項１から４のいずれか１項に記載の車載用レーダ設置構造。
【請求項６】
扁平な立体であって、一つの面に設けられて電波の送受信を行う送受信面を有するレーダ本体と、
車両前部または車両後部のバンパの外装部品であるバンパフェイシアを車両本体に取り付けるフェイシアリテーナと、
前記レーダ本体を収容するケースと、
を備え、
前記フェイシアリテーナは、
前記車両本体に固定される固定部と、
前記レーダ本体の前記送受信面が車両外側へ向くように前記ケースを介して該レーダ本体がはめ込まれる窪んだ形状を有するレーダ設置部と、
を有し、
前記ケースは、前記レーダ本体の側面または前記送受信面の縁に接触して該レーダ本体が動かないようこれを支える１つ以上の支持体を有し、
前記支持体は、前記レーダ本体の両脇に架け渡されて前記送受信面の縁を押さえるブリッジ部を含み、
前記ケースはさらに、前記ブリッジ部と前記レーダ本体の前記送受信面の反対側の面である裏面に接する底面との間に形成され、前記レーダ本体が前記送受信面の平行方向に挿入される該レーダ本体の厚みよりも狭い挿入口を有することを特徴とする車載用レーダ設置構造。
【請求項７】
前記支持体は、前記レーダ本体の側面または前記送受信面の縁を押さえるツメを含むことを特徴とする請求項６に記載の車載用レーダ設置構造。
【請求項８】
前記ケースは、前記底面の所定位置に設けられ、該レーダ本体を前記挿入口の挿入方向の奥に案内するスロープを有することを特徴とする請求項６または７に記載の車載用レーダ設置構造。
【請求項９】
車両前部または車両後部のバンパの外装部品であるバンパフェイシアを車両本体に取り付けるフェイシアリテーナであって、
前記車両本体に固定される固定部と、
扁平な立体のレーダ本体の送受信面が車両外側へ向くように該レーダ本体がはめ込まれる窪んだ形状を有するレーダ設置部と、
を備え、
前記レーダ設置部は、前記レーダ本体の側面または前記送受信面の縁に接触して該レーダ本体が動かないようこれを支える１つ以上の支持体を含み、
前記支持体は、前記レーダ本体の両脇に架け渡されて前記送受信面の縁を押さえるブリッジ部を含み、
前記レーダ設置部は、前記ブリッジ部と前記レーダ本体の前記送受信面の反対側の面である裏面に接する底面との間に形成され、前記レーダ本体が前記送受信面の平行方向に挿入される該レーダ本体の厚みよりも狭い挿入口を有することを特徴とするフェイシアリテーナ。
【請求項１０】
当該フェイシアリテーナは、前記バンパフェイシアの前記車両本体の側面に沿って延びる側面部分の上縁に沿って車両前後方向に延びた長尺な形状を有することを特徴とする請求項９に記載のフェイシアリテーナ。
【請求項１１】
前記レーダ設置部は、前記固定部の近傍に設けられることを特徴とする請求項９または１０に記載のフェイシアリテーナ。
【国際調査報告】
2015072289.tif 000010
2015072289.tif 000011